(57)【要約】【課題】対象物から生ずる特定の波長領域の光の強度が増大するように照射光のスペクトルを制御することにより、対象物に応じて、美しく見せる光を照射する技術を提供する。【解決手段】異なるスペクトルの光を照射可能な照光部２と、対象物Ｓに照射光が照射された際に対象物から生ずる波長領域の光の強度を測定する光強度測定部３と、該光強度測定部で得られた測定値に基づいて、前記波長領域のうち、特定の波長領域の光の強度が増大するように制御する制御部４と、を有することを特徴とする。対象物が人の肌の場合には、その特定の波長領域を４６０〜５００ｎｍに設定することで、肌をより美しく見せる光を照射する。【選択図】図１
2014238989.tif 000002
【特許請求の範囲】
【請求項１】
異なるスペクトルの光を照射可能な照光部と、
対象物に照射光が照射された際に前記対象物から生ずる波長領域の光の強度を測定する光強度測定部と、
該光強度測定部で得られた測定値に基づいて、前記波長領域のうち特定の波長領域の光の強度が増大するように制御する制御部と、を有ることを特徴とする、照明装置。
【請求項２】
前記特定の波長領域が４６０〜５００ｎｍの波長範囲である、ことを特徴とする請求項１に記載の照明装置。
【請求項３】
前記照光部は、異なるピークをもつ複数の光源と、前記各光源の出力値を制御する光源制御部と、を有することを特徴とする、請求項１又は２に記載の照明装置。
【請求項４】
前記照光部は、対象物に照射する光の波長範囲を選択する波長範囲選択手段と、選択した波長範囲に対応する光源の光量調整手段と、を含むことを特徴とする、請求項１又は２に記載の照明装置。
【請求項５】
前記照射光は、４５００〜５５００Ｋの色温度の光であることを特徴とする、請求項１〜４の何れかに記載の照明装置。
【請求項６】
前記光強度測定部は、第１の照射光が対象物に照射された際に、該対象物から生ずる前記波長領域の光の強度を測定する第１測定部と、
前記第１の照射光とスペクトルが異なる第２の照射光が前記対象物に照射された際に、該対象物から生ずる前記波長領域の光の強度を測定する第２測定部と、を有し、
前記制御部は、前記第１測定部による測定値と、前記第２測定部による測定値を比較することにより、測定値が大きい光に対応する照射光を選択する照射光選択部を含むことを特徴とする、請求項１〜５の何れかに記載の照明装置。
【請求項７】
前記光強度測定部は、前記特定の波長領域の光を透過する光学フィルタと、前記特定の波長領域の光量を増減可能なゲイン処理部と、を有することを特徴とする、請求項１〜６の何れかに記載の照明装置。
【請求項８】
前記制御部は、予め求めておいた、前記各光源の出力値と、該出力値の照射光を対象物に照射した場合の該対象物から生ずる前記波長領域の光の強度との関係を示すテーブルを参照し、
前記対象物から生ずる前記波長領域の光の強度を増大させるように、前記各光源の出力値を決定し、前記光源制御部に制御信号を送ることを特徴とする、請求項１〜７の何れかに記載の照明装置。
【請求項９】
異なるスペクトルの光を対象物に照射する照射工程と、前記対象物から生ずる波長領域の光の強度を測定する光強度測定工程と、該光強度測定工程で得られた測定値に基づいて、前記波長領域のうち、４６０〜５００ｎｍの波長領域の光の強度が増大するように制御する制御工程と、を行うことを特徴とする照明方法。
【請求項１０】
前記照射工程と、前記光強度測定工程と、前記制御工程とを、繰り返し行うことにより、対象物から生じる前記波長領域の光の強度が増大するように、照射光を選択することを特徴とする請求項９に記載の照明方法。
【請求項１１】
前記光強度測定工程は、第１の照射光が対象物に照射された際に、該対象物から生ずる前記波長領域の光の強度を測定する第１測定工程と、前記第１の照射光とスペクトルが異なる第２の照射光が前記対象物に照射された際に、該対象物から生ずる前記波長領域の光の強度を測定する第２測定工程と、を有し、前記制御工程では、前記第１測定工程で得られた測定値と、前記第２測定工程で得られた測定値を比較することにより、測定値が大きい光に対応する照射光を選択する照射光選択工程を有する、ことを特徴とする請求項９又は１０に記載の照明方法。
【請求項１２】
前記光強度測定工程において、光学フィルタを介して４６０〜５００ｎｍの特定の波長領域の光を透過させる工程と、その透過した特定の波長領域の光量をゲイン処理部により増加させる工程と、を行うことを特徴とする請求項９〜１１の何れかに記載の照明方法。
【発明の詳細な説明】
【技術分野】
【０００１】
本発明は、照明装置及び照明方法に関する。特に、人の肌を美しく見せるための照明技術に関する。
【背景技術】
【０００２】
美容、ファッションなどの分野において、肌を美しく撮影することは最も重要な課題の一つである。
肌の美しさの見え方は、同一の照明下でも、対象物（対象者）の肌色や肌質、化粧の有無によって異なるものである。そのため、最も肌を美しく見せるためには、対象物に応じて照明を調整する必要がある。
従来は、照明者の経験やノウハウにより、照明光を調整することが行われてきた。
【０００３】
肌を美しく見せる照明装置として、以下の技術が知られている。
特許文献１には、発光素子及び該発光素子からの光で励起されて異なる波長の光を放射する蛍光体を有する照光部にて光を照射する照明装置であって、前記照光部は、波長４４０〜４６５ｎｍの範囲における発光ピークの光の出力値を１００％とした場合に、波長５００ｎｍでの光の出力値が３５〜５５％の範囲、波長５５０ｎｍでの光の出力値が４５〜８０％の範囲、波長６００ｎｍでの光の出力値が４５〜７５％の範囲、波長６４０ｎｍでの光の出力値が５０〜８０％の範囲であり、波長６００ｎｍの光の出力値に対する波長６４０ｎｍの光の出力値が１００〜１２０％の範囲であり、波長５５０ｎｍの光の出力値に対する波長６４０ｎｍの光の出力値が８５〜１３０％の範囲であり、４５００〜５５００Ｋの色温度の光を照射することを特徴とする照明装置が記載されている。
【先行技術文献】
【特許文献】
【０００４】
【特許文献１】特開２０１３−５８４７３号公報
【発明の概要】
【発明が解決しようとする課題】
【０００５】
特許文献１に記載されるように、一般的に肌が美しく見える照明の照射光を照射する照明装置は開発されているものの、特に撮影などの場面では、対象物に応じてより美しく見える照明を選択することが望まれる。
【０００６】
そこで、本発明は、対象物に応じて、肌を美しく見せる照明を実現する照明技術を提供することを課題とする。すなわち、対象物に応じて照射光をオーダーメイドする照明技術を提供することを課題とする。
【課題を解決するための手段】
【０００７】
この様な状況に鑑みて、本発明者らは、肌を美しく見せる照明技術を求めて鋭意研究努力を重ねた結果、肌から生ずる特定の波長領域（４６０〜５００ｎｍ）の光の強度が、肌の美しさと深く関連していることを見出した。
【０００８】
そこで、本発明者らは、上記肌から生ずる特定の波長領域の光の強度に基づいて、肌に照射する光のスペクトルを制御して照射することにより、肌をより美しく見せるのに適切な光を照射できることを見出した。
本発明は、上記知見に基づいてなされたものである。
【０００９】
上記課題を解決するため、本発明に係る照明装置は、異なるスペクトルの光を照射可能な照光部と、対象物に照射光が照射された際に前記対象物から生ずる波長領域の光の強度を測定する光強度測定部と、該光強度測定部で得られた測定値に基づいて、前記波長領域のうち、特定の波長領域の光の強度が増大するように制御する制御部と、を有することを特徴とする。
対象物から生ずる特定の波長領域の光の強度が増大するように制御することにより、例えば、照射光のスペクトルを制御したり、対象物から生ずる光のスペクトルを制御することが可能となり、対象物に応じて、肌を美しく見せる光を照射したり、肌を美しく見せる演出をしたりすることができる。
対象物が人の肌の場合には、その特定の波長領域を４６０〜５００ｎｍに設定することで、肌をより美しく見せる光を照射することができる。
【００１０】
本発明の好ましい形態では、前記照光部は、異なるピークをもつ複数の光源と、前記各光源の出力値を制御する光源制御部と、を有することを特徴とする。
このような構成とすることにより、光源を順次切り替えるだけで様々なスペクトルの光を照射することが可能となる。
【００１１】
本発明の好ましい形態では、前記照光部は、対象物に照射する光の波長範囲を選択する波長範囲選択手段と、選択した波長範囲に対応する光源の光量調整手段と、を有することを特徴とする。
このように、照光部が、対象物に照射する光の波長範囲選択手段と、光源の光量調整手段とを有するので、波長範囲選択手段により対象物に照射する光の波長範囲を順次選択するだけで、様々なスペクトルの光を照射することが可能となる。この場合、多数の光源を設ける必要がなくなるので、その分小型化を図ることができる。
【００１２】
本発明の好ましい形態では、前記照射光は、４５００〜５５００Ｋの色温度の光であることを特徴とする。
照射光を、前記色温度の範囲で選択することにより、肌をより美しく見せる光を照射することができる。
【００１３】
本発明の好ましい形態では、前記光強度測定部は、第１の照射光が対象物に照射された際に、該対象物から生ずる前記波長領域の光の強度を測定する第１測定部と、前記第１の照射光とスペクトルが異なる第２の照射光が前記対象物に照射された際に、該対象物から生ずる前記波長領域の光の強度を測定する第２測定部と、を有し、前記制御部は、前記第１測定部による測定値と、前記第２測定部による測定値を比較することにより、測定値が大きい光に対応する照射光を選択する照射光選択部を含むことを特徴とする。
対象物から生ずる特定の波長領域の光の強度についての２つの測定値を比較することにより、簡便に適切な照射光を選択することが可能となる。
【００１４】
本発明の好ましい形態では、前記光強度測定部は、前記特定の波長領域の光を透過する光学フィルタと、前記特定の波長領域の光量を増減可能なゲイン処理部と、を有することを特徴とする。
このように、光強度測定部が、特定の波長領域の光を透過する光学フィルタと、特定の波長領域の光量を増減可能なゲイン処理部と、を有することで、対象物から得られる特定の波長領域の強度（光量）を任意に調整することができる。
【００１５】
本発明の一形態では、前記制御部は、予め求めておいた、前記各光源の出力値と、該出力値の照射光を対象物に照射した場合の該対象物から生ずる前記波長領域の光の強度との関係を示すテーブルを参照し、前記対象物から生ずる前記波長領域の光の強度を増大させるように、前記各光源の出力値を決定し、前記光源制御部に制御信号を送ることを特徴とする。
【００１６】
本発明は、異なるスペクトルの光を対象物に照射する照射工程と、前記対象物から生ずる波長領域の光の強度を測定する光強度測定工程と、該光強度測定工程で得られた測定値に基づいて、前記波長領域のうち、４６０〜５００ｎｍの波長領域の光の強度が増大するように制御する制御工程と、を行うことを特徴とする。
【００１７】
本発明の好ましい形態では、前記照射工程と、前記光強度測定工程と、前記制御工程とを、繰り返し行うことにより、対象物から生じる前記波長領域の光の強度が増大するように、照射光を選択することを特徴とする。
これらの工程を繰り返すことにより、前に照射した照射光に対し相対的に適切な照射光を選択していくことが可能となる。
【００１８】
本発明の好ましい形態では、前記光強度測定工程は、第１の照射光が対象物に照射された際に、該対象物から生ずる前記波長領域の光の強度を測定する第１測定工程と、前記第１の照射光とスペクトルが異なる第２の照射光が前記対象物に照射された際に、該対象物から生ずる前記波長領域の光の強度を測定する第２測定工程と、を有し、前記制御工程では、前記第１測定工程で得られた測定値と、前記第２測定工程で得られた測定値を比較することにより、測定値が大きい光に対応する照射光を選択する照射光選択工程を有することを特徴とする。
このような方法により、簡便に相対的に適切な照射光を選択していくことが可能となる。また、これを繰り返していくことで、照射光を最適なものに近づけていくことが簡便にできる。
【００１９】
本発明の好ましい形態では、光強度測定工程において、光学フィルタを介して４６０〜５００ｎｍの特定の波長領域の光を透過させる工程と、その透過した特定の波長領域の光量をゲイン処理部により増加させる工程と、を行うことを特徴とする。
このように、特定の波長領域の光を透過する光学フィルタと、４６０〜５００ｎｍの特定の波長領域の光量を増減可能なゲイン処理部とを用いて、対象物から得られる特定の波長領域の強度（光量）を任意に増加することができる。したがって、この特定の波長領域の光量を充分に増加させた光をＣＣＤイメージセンサー等の受光素子に受光させることで、より美しい肌の画像を直接得ることもできる。
【発明の効果】
【００２０】
本発明によれば、対象物に応じて、肌を美しく見せる照明を実現することができる。すなわち、対象物に応じて照射光をオーダーメイドでき、美容やファッションの分野での撮影の場面などで、最適な照明を実現することができる。
【図面の簡単な説明】
【００２１】
【図１】本発明の照明装置の実施形態１に係る機能ブロック図である。
【図２】本発明の照明装置の実施形態１に係る概略構成図である。
【図３】本発明の照明装置の実施形態１に係る照明方法の一例を示すフローチャートである。
【図４】本発明の照明装置の実施形態２に係る概略構成図である。
【図５】色温度が異なる１３種の光を顔に照射した場合の顔写真である。
【図６】５０００Ｋの色温度を有する、２７種の光のスペクトルを示す図である。
【図７】５０００Ｋの色温度を有する、スペクトルの異なる２７種の光を顔に照射した場合の写真である。
【図８】上記２７種の光を顔に照射した場合の額から得られる反射光スペクトルを示す図である。
【図９】肌の美しさのスコアが上位の顔写真（条件１、条件４）と、該スコアが下位（条件９）の顔写真である。
【図１０】上記各条件において、被験者の額から得られる反射光スペクトルを示す図である。
【図１１】他の被験者において、肌の美しさのスコアが上位の顔写真（条件１、条件５）と、該スコアが下位（条件６、７）の顔写真である。
【図１２】上記各条件において、被験者の額から得られる反射光スペクトルを示す図である。
【図１３】他の被験者において、肌の美しさのスコアが上位の顔写真（条件１、条件４）と、該スコアが下位（条件６、７）の顔写真である。
【図１４】上記各条件において、被験者の額から得られる反射光スペクトルを示す図である。
【発明を実施するための形態】
【００２２】
［１］照明装置
以下、図１〜図４を参照しながら本発明に係る照明装置の実施形態について説明する。
本実施形態に示す照明装置１の照明対象は人の肌である。
本発明の照明装置１は、図１に示すように、照光部２と、光強度測定部３と、制御部４とを備える。
【００２３】
照光部２は、人などの対象物Ｓに照射する照射光を生成する。
図２は、照明装置１の概略構成を示すブロック図である。同図に示すように、照光部２は、可視光領域において、様々な波長にピークを有する光を発射するＬＥＤ素子からなる８種の光源２１（１・・・８）と、光源２１（１・・・８）のＯＮ／ＯＦＦ、光量等を制御する光源制御部２１１とを有する。
【００２４】
本実施形態では、光源２１（１・・・８）の一つは、波長４０２ｎｍにピークを有し、紫色光を放射するＬＥＤ素子からなる。波長３９０〜４２０ｎｍの範囲にピークを有する発光素子を用いた光源を用いることにより、光源制御部２１１による、対象物Ｓから生ずる４６０〜５００ｎｍの波長領域（特定の波長領域）の光の強度を増大する制御がしやすくなる。
【００２５】
光強度測定部３は、対象物Ｓから生ずる４６０〜５００ｎｍの特定の波長領域の光の強度を測定する。
図２に示す照明装置１において、光強度測定部３は、外部からの光の光量を絞りの開度によって調整する光量調整器３１０と、光量調整器３１０によって光量が調整された光を結像させるために屈折させるレンズ３２０と、レンズ３２０からの光について透過させる波長の範囲を光学ギャップによって選択するエタロン（フィルタ）３３０と、エタロン３３０を透過した波長成分の光を受光してその受光強度を示すアナログ信号を出力する受光素子３４０と、を備える。この受光素子３４０には、受光位置ごとに受光強度（光量）を示すアナログ信号を出力可能なＣＣＤイメージセンサーが用いられている。
【００２６】
また、光強度測定部３は、光量調整器３１０の開度を制御する光量調整器制御部３１１と、エタロン３３０内に設けられた光学ギャップを静電引力によって調整することでエタロン３３０による波長選択を制御するエタロン制御部３３１と、受光素子３４０からのアナログ信号をデジタル信号に変換するＡＤ変換器３５０と、受光素子３４０からの読み出し周期を制御することで感度を制御する受光素子制御部３４１と、ＡＤ変換器３５０から入力された信号のゲインを調整するゲイン処理部３４２とを備えている。
【００２７】
また、光強度測定部３は、第１の照射光が対象物Ｓに照射された際に、対象物Ｓから生ずる光の受光強度を測定する第１測定部３６１と、第２の照射光が対象物Ｓに照射された際に、対象物Ｓから生ずる光の受光強度を測定する第２測定部３６２とを有する。
【００２８】
制御部４は、光強度測定部３で測定した４６０〜５００ｎｍの波長領域の光の強度の測定値に基づいて、照光部２から照射する照射光のスペクトルを制御する。
これは、４６０〜５００ｎｍの波長領域の光の強度が、肌色の美しさ、特に素肌の肌色の美しさと密接に関係するためである。後述する実施例に示す通り、４６０ｎｍ〜５００ｎｍの波長領域の光の強度と肌の美しさの関係は、本発明者らが新規に見出したものである。
【００２９】
図２に示す照明装置１において、制御部４は、照光部２から照射すべき光源２１（１・・・８）を選択する照射光選択部４１０と、各種データを記憶する記憶装置４２０と、各種計算を行うデジタルシグナルプロセッサー（ＤＳＰ）を用いた計算処理部４３０とを有する。
【００３０】
照射光選択部４１０は、第１測定部３６１での測定値と、第２測定部３６２での測定値を比較することにより、大きい方の測定値に対応する照射光を選択する。本実施形態では、８種の光源２１を有しているので、それらの光源について順次測定及び選択を繰り返して、最も大きい方の測定値に対応する光源を選択する。
【００３１】
この照明装置１の制御部４は、エタロン制御部３３１を介して制御信号をエタロン３３０に出力することにより、エタロン３３０を通過する光の波長範囲を可視光の範囲（３６０〜７８０ｎｍ）で任意に設定できる。
【００３２】
また、記憶装置４２０には、前記光源２１（１・・・８）の出力値と、該出力値の照射光を対象物Ｓに照射した場合の対象物Ｓから生ずる４６０〜５００ｎｍの波長領域の光の強度の関係を示す参照用データ（テーブル）４２１が記憶されている。
これにより、制御部４は、そのテーブル４２１を参照し、計算処理部４３０に、前記波長領域の光の強度が増大するように前記出力値を計算させることもできる。
【００３３】
上述した、光源制御部２１１、光量調整器制御部３１１、エタロン制御部３３１、受光素子制御部３４１、ゲイン処理部３４２、計算処理部４３０、記憶装置４２０は、コンピュータを用いたシステム制御部５により統括制御されている。
照明装置１は、その他、各種データや照射対象の画像等を表示する表示部６を備えている。
【００３４】
以上に示す照明装置１を用いることにより、肌から生ずる４６０〜５００ｎｍの特定の波長領域の光の強度を指標として、対象物Ｓの肌をより美しく見せる照射光を選択、生成し、照射することが可能となる。そして、その照射により、対象物Ｓから生ずる４６０〜５００ｎｍの波長領域の光の強度が増大されてより美しく見える画像を表示部６に表示することもできる。
【００３５】
［２］照明方法
次に、上記照明装置１を用いた照明方法について、図３を参照しながら説明する。
当該処理は、システム制御部５が主体となって実行する処理である。ここでは、説明の便宜上、光源２１が一般的な照明に用いられるスペクトルを有する複数（２種類）の光源を備えている場合について説明する。
まず、システム制御部５は、照光部２の、任意の第１の照射光を選択（例えば光源２１の１を選択）し、人などの対象物Ｓに照射する（ステップＳ１０）。
【００３６】
続いて、光強度測定部３の第１測定部３６１が、第１の照射光を照射した結果得られる対象物Ｓからの光の成分のうち、特定の波長領域である４６０〜５００ｎｍの波長領域の光の強度を測定し、その測定データを記憶装置４２０に保存する（ステップＳ１１）。
【００３７】
続いて、システム制御部５は、第１の照射光とは異なるスペクトルを有する第２の照射光を選択（例えば光源２１の２を選択し）、人などの対象物Ｓに照射する（ステップＳ１２）。
【００３８】
続いて、光強度測定部３の第２測定部３６２が、第２の照射光を照射した結果得られる対象物Ｓからの光の成分のうち、４６０〜５００ｎｍの波長領域の光の強度を測定し、そのデータを記憶装置４２０に保存する（ステップＳ１３）。
【００３９】
続いて、制御部４の照射光選択部４１０が、記憶装置４２０に記憶された上記２つの測定データを読み出し、比較する（ステップＳ１４）。その結果、制御部４は、第１測定部３６１で測定された測定データＤ１が、第２測定部３６２で測定された測定データＤ２より大きい場合には、第１の照射光のスペクトルを、対象物Ｓに照射すべき照射光のスペクトルとして決定し、記憶装置４２０に記憶しておく（ステップＳ１５）。
【００４０】
一方、測定データＤ１が、第２測定部３６２で測定された測定データＤ２より小さい場合には、第２の照射光のスペクトルを、対象物Ｓに照射すべき照射光のスペクトルとして決定し、記憶装置４２０に記憶しておく（ステップＳ１６）。
【００４１】
続いて、システム制御部５は、ステップＳ１５において、第１の照射光を、対象物Ｓに照射すべき照射光のスペクトルとして決定した場合には、その第１の照射光を用いて対象物Ｓを照射して照明する（ステップＳ１７）。
【００４２】
一方、システム制御部５は、ステップＳ１６において、第２の照射光を、対象物Ｓに照射すべき照射光のスペクトルとして決定した場合には、その第１の照射光を用いて対象物Ｓを照射して照明する（ステップＳ１７）。
【００４３】
なお、図２に示すように、８種の光源２１（１・・・８）がある場合には、第１測定部３６１、第２測定部３６２、照射光選択部４１０によって、８種の光源について順次測定、比較及び選択を繰り返して、最も大きい方の測定値に対応する光源を選択し、その選択した光源により対象物Ｓを照射して照明する。
【００４４】
このように、対象物Ｓから生ずる４６０〜５００ｎｍの特定の波長領域の光の強度が増大するように照射光のスペクトルを制御することにより、対象物Ｓに応じて、美しく見せる光を照射することができる。
これにより、対象物Ｓに応じて、肌を美しく見せる照明を実現することができる。すなわち、対象物Ｓに応じて照射光をオーダーメイドでき、美容やファッションの分野での撮影の場面などで、最適な照明を実現することができる。
【００４５】
本実施形態の照明装置１では、光強度測定部３が、選択した波長領域の光を透過させる光学フィルタであるエタロン３３０及びエタロン制御部３３１と、その波長領域の光量を増減可能なゲイン処理部３４２と、を備えている。
このように、光強度測定部３が、特定の波長領域の光を透過する光学フィルタと、特定の波長領域の光量を増減可能なゲイン処理部３４２と、を有することで、対象物Ｓから得られる特定の波長領域の強度（光量）を任意に調整することができる。
【００４６】
したがって、この照明装置１を用いることにより、対象物Ｓから生ずる４６０〜５００ｎｍの特定の波長領域の光の強度（光量）をゲイン処理部６により直接増大させることもできる。これにより、対象物Ｓから生ずる４６０〜５００ｎｍの波長領域の光の強度が増大されてより美しく見える画像を表示部６に表示することができる。この場合、肌がより美しく見える映像を簡便に得ることが可能になる。
【００４７】
なお、本実施形態では、予め光源２１（１・・・８）の出力値と、該出力値を有する光源から発生する照射光を人の肌に照射した場合の人の肌から生ずる前記４６０〜５００ｎｍの波長領域の光の強度との関係を示すテーブルＴを参照する方法を採用することもできる。このようにすれば、上記２回目以降のフローにおいて、第１の照射光と第２の照射光の選択を容易にして処理速度を早くすることができる。
【００４８】
図４は、本発明に係る照明装置の実施形態２を示す。なお、同図において、図２に示す実施形態１と基本的に同一の構成要素については同一の符号を付してその説明を簡略化する。
【００４９】
図４に示す実施形態２では、照光部２の構成が実施形態１と相違している。即ち、この実施形態に係る照光部２は、可視光領域の２つの光源２２、２３と、その光源制御部２１１と、光源２３の照射側に配置されたフィルタ２４と、そのフィルタ制御部２５とを有している。
【００５０】
光源制御部２１１は、光源２２、２３のＯＮ／ＯＦＦ制御、及び光量調整機能を備えている。フィルタ制御部２５は、エタロン制御部３３１と同様に、フィルタ２４を制御し、光源２３から対象物Ｓに照射される可視光領域の光の波長範囲を順次切り替えることができるようになっている。
したがって、ここでは、光源２２から照射される可視光領域の照射光Ｒ１に加えて、光源２３から照射され、フィルタ２４を透過した特定の波長範囲の照射光Ｒ２と、が合成された照射光を生成することができる。
【００５１】
本実施形態において、照光部２のフィルタ２４、フィルタ制御部２５、光源２２、２３、光源制御部２１１は、対象物Ｓに照射する光の波長範囲を選択する波長範囲選択手段、及び選択した波長範囲に対応する光源の光量調整手段を構成している。
【００５２】
このように、照光部２が、対象物Ｓに照射する光の波長範囲選択手段と、光源の光量調整手段とを有するので、波長範囲選択手段により対象物に照射する光の波長範囲を順次選択するだけで、様々なスペクトルの光を照射することが可能となる。この場合、多数の光源を設ける必要がなくなるので、その分、小型化を図ることができる。
なお、本発明に係る照明装置は、人の肌の照明技術に限らず、美しく見せる照明を実現できるものであれば、動物の肌、果物、あるいはそれらの写真などの照明技術にも適用可能である。
【実施例】
【００５３】
＜１＞色温度と肌の美しさの関係の解析
２５００〜８０００Ｋの間にある色温度が異なる１３種の光を特定の被験者の顔に照射し（図５参照）、専門パネラーによって、肌が美しく見える順に並べた。その結果、４５００〜５５００Ｋの範囲の色温度の光を当てた場合に肌が美しく見えること、５０００Ｋの光を当てた場合に最も肌が美しく見えることを見出した。
【００５４】
＜２＞照射光スペクトルの解析
続いて、スペクトルの異なる２７種の５０００Ｋの色温度の光（図６参照）を、上記被験者の顔に照射し（条件１〜２７、図７参照）、専門パネラーによって、肌が美しく見える順に並べた。
続いて、上記２７種の光を顔に照射した場合の額から得られる反射光スペクトル（図８）を用いて、肌の美しさと反射光スペクトルとの関係を解析した。
その結果、４６０〜５００ｎｍの波長領域の反射光の強度が大きいほど、専門パネラーによる肌の美しさの評価が高いという結果となった。
図９に、肌が美しく見えるか否かの判定において、上位の条件で撮影した顔写真（条件１、条件４）と、下位の条件で撮影した顔写真（条件９）を示す。また、図１０に、上記各条件における、被験者の額から得られた反射光スペクトルを示す。図９及び１０から、肌が美しく見えるか否かの判定において上位の条件と下位の条件では、４６０〜５００ｎｍの波長領域の反射光の強度に顕著な差があることが分かった。
【００５５】
同様に、他の被験者２名を用いて試験を行ったが、いずれの場合も、肌から得られる４６０〜５００ｎｍの波長領域の反射光の強度が大きいほど、専門パネラーによる肌の美しさの評価が高いという結果となった（図１１〜１４）。
【産業上の利用可能性】
【００５６】
本発明は、エステティック美容の場面における照明、各種の撮影、化粧料の開発などの場面で利用することができる。
【符号の説明】
【００５７】
１  照明装置
２  照光部
３  光強度測定部
４  制御部
５  システム制御部
６  表示部
２１、２２，２３  光源
２４  フィルタ
２５  フィルタ制御部
２１１  光源制御部
３１０  光量調整器
３１１  光量調整器制御部
３２０  エタロン
３３０  受光素子
３３１  エタロン制御部
３４１  受光素子制御部
３４２  ゲイン処理部
３５０  ＡＤ変換器
３６１  第１測定部
３６２  第２測定部
４１０  照射光選択部
４２０  記憶装置
４２１  テーブル
４３０  計算処理部
【図１】
2014238989.tif 000003
【図２】
2014238989.tif 000004
【図３】
2014238989.tif 000005
【図４】
2014238989.tif 000006
【図６】
2014238989.tif 000007
【図８】
2014238989.tif 000008
【図１０】
2014238989.tif 000009
【図１２】
2014238989.tif 000010
【図１４】
2014238989.tif 000011
【図５】
2014238989.tif 000012
【図７】
2014238989.tif 000013
【図９】
2014238989.tif 000014
【図１１】
2014238989.tif 000015
【図１３】
2014238989.tif 000016